(57)【要約】      （修正有）【課題】傘骨を保護し、かつ誤ってタッチすることにより、傘が開かれることを防止できる長傘を提供する。【解決手段】安全式ろくろを有する長傘であって、ろくろ１とろくろを摺動させる傘骨２を含み、ろくろには係止溝が設けられ、傘骨には係止溝を貫通する下はじき５が連結される。ろくろの係止溝に対応する位置には保護カバーが連結されている。【選択図】図７
0003213476.tif 000002
【実用新案登録請求の範囲】
【請求項１】
ろくろとろくろを摺動させる傘骨を含み、前記ろくろには係止溝が設けられ、前記傘骨には係止溝を貫通する下はじきが連結されている安全式ろくろを有する長傘であって、前記ろくろの係止溝に対応する位置には保護カバーが連結されている、ことを特徴とする安全式ろくろを有する長傘。
【請求項２】
前記下はじきの側面にはロック孔が設けられ、前記保護カバー内にはロック孔を貫通するロック部材が設けられ、前記保護カバーとろくろの間にはロック部材をロック孔から離脱させる開閉機構が設けられている、ことを特徴とする請求項１に記載の安全式ろくろを有する長傘。
【請求項３】
前記開閉機構はろくろに設けられている環状溝と保護カバーに設けられている第１スライダとを含み、前記環状溝はろくろの円周方向に沿って設けられ、前記第１スライダは環状溝に摺動可能に連結されている、ことを特徴とする請求項２に記載の安全式ろくろを有する長傘。
【請求項４】
前記環状溝と第１スライダの間にはバネが設けられている、ことを特徴とする請求項３に記載の安全式ろくろを有する長傘。
【請求項５】
前記ろくろと保護カバーの間にはねじりバネが設けられている、ことを特徴とする請求項３に記載の安全式ろくろを有する長傘。
【請求項６】
前記ろくろの保護カバーに対応する位置にはベース部が設けられ、前記開閉機構は、ベース部に設けられているスライド溝、保護カバーに設けられている第２スライダを含み、前記スライド溝の長手方向はろくろの軸線方向と垂直になり、前記第２スライダはスライド溝に摺動可能に連結される、ことを特徴とする請求項２に記載の安全式ろくろを有する長傘。
【請求項７】
前記スライド溝と第２スライダの間には引張りバネまたは圧縮バネが設けられている、ことを特徴とする請求項６に記載の安全式ろくろを有する長傘。
【請求項８】
前記保護カバーには滑り防止パターンが設けられている、ことを特徴とする請求項１乃至請求項７のいずれか一項に記載の安全式ろくろを有する長傘。
【請求項９】
前記保護カバーは透明材質からなり、前記ろくろには第１指示線が設けられ、前記保護カバーには第１指示線と共にロック部材の位置を指示するための第２指示線が設けられている、ことを特徴とする請求項８に記載の安全式ろくろを有する長傘。
【考案の詳細な説明】
【技術分野】
【０００１】
本考案は傘領域に属し、具体的には安全式ろくろを有する長傘に関する。
【背景技術】
【０００２】
傘は、遮光、または雨、雪を遮蔽する道具である。通常は、油紙、油布またはビニール等から作られている。通常、傘の製造材料は、延性を有する布、他に骨格とされる材料と糸とを含む。使用するときは手で傘を開けばよい。傘を発明した最初の目的は、遮光のためであるが、現在は雨を遮蔽する道具になっている。雨傘は、装飾物、杖、兵器としての作用も果たすことができる。傘は折畳数によって、２つ折畳傘、３つ折畳傘、長傘に区分される。長傘は防風効果が優れる特徴を有する。
【０００３】
長傘は、傘骨、ろくろ、押しボタンと下はじき等を含む。傘を閉じるとき、下はじきはろくろに設けられている係止溝内に係止されてろくろを固定する。通常、下はじきは楔形薄片状であって、ろくろの外面に露出されているため、手を傷つけやすく、かつろくろの係止溝に雨水が容易に進入されて傘骨が錆びて腐食することを加速化させる。従来の押しボタンは構造が簡単で、押しボタンを誤ってタッチすると、傘が容易に開かれて人を傷つけやすくなるため、改善される必要がある。
【考案の概要】
【考案が解決しようとする課題】
【０００４】
従来技術の欠陥について、本考案は誤ってタッチすることにより傘が開かれることを防止する、安全式ろくろを有する長傘を提供する。
【０００５】
前記目的を実現するために、本考案は下記のような技術手段を提供する。安全式ろくろを有する長傘であって、ろくろとろくろを摺動させる傘骨を含み、前記ろくろには係止溝が設けられ、前記傘骨には係止溝を貫通する下はじきが連結され、前記ろくろの係止溝に対応する位置には保護カバーが連結されている。
【０００６】
さらに、前記下はじきの側面にはロック孔が開設され、前記保護カバー内にはロック孔を貫通するロック部材が設けられ、前記保護カバーとろくろの間にはロック部材をロック孔から排出させる開閉機構が設けられている。
【０００７】
さらに、前記開閉機構は、ろくろに設けられている環状溝、保護カバーに設けられている第１スライダを含み、前記環状溝はろくろの円周方向に沿って設けられ、前記第１スライダは環状溝に摺動可能に連結される。
【０００８】
さらに、前記環状溝と第１スライダの間にはバネが設けられている。
【０００９】
または、前記ろくろと保護カバーの間にはねじりバネが設けられている。
【００１０】
または、前記ろくろの保護カバーに対応する位置にはベース部が設けられ、前記開閉機構は、ベース部に設けられているスライド溝、保護カバーに設けられている第２スライダを含み、前記スライド溝の長手方向はろくろ１の軸線方向と垂直になり、前記第２スライダはスライド溝に摺動可能に連結される。
【００１１】
さらに、前記スライド溝と第２スライダの間には引張りバネまたは圧縮バネが設けられている。
【００１２】
さらに、前記保護カバーには滑り防止パターンが設けられている。
【００１３】
さらに、前記保護カバーは透明材質からなり、前記ろくろには第１指示線が設けられ、前記保護カバーには第１指示線と共にロック部材の位置を指示する第２指示線が設けられている。
【００１４】
上述したように、傘を閉じた後、保護カバーは雨水と塵埃等が係止溝から傘骨内に進入することを防止する。これにより、傘骨が錆びて腐食することを防止し、かつ塵埃により下はじきが嵌合されて傘を開けない状況が生じない。傘を開くとき、保護カバーは手が下はじきにタッチして手を傷つけることを防止する。
【００１５】
傘を閉じるとき、ロック部材はロック孔内に挿入されて、下はじきをロックする。このとき、下はじきはろくろに対して係止状態を保持し、誤ってタッチされても脱落しないため、開かれて人を傷つけない。
【図面の簡単な説明】
【００１６】
【図１】図１は、本考案における安全式ろくろを有する長傘の開いた状態での正面図である。
【図２】図２は、本考案における安全式ろくろを有する長傘の開いた状態での側面図である。
【図３】図３は、本考案における安全式ろくろを有する長傘の開いた状態での平面図である。
【図４】図４は、図３におけるＡ−Ａ線に沿う断面図である。
【図５】図５は、本考案における安全式ろくろを有する長傘を閉じたときのろくろ状態を示す側面図である。
【図６】図６は、本考案における安全式ろくろを有する長傘を閉じたときのろくろ状態を示す平面図である。
【図７】図７は、図６の一部断面図である。
【図８】図８は、本考案における安全式ろくろを有する長傘の保護カバーを示す平面図である。
【図９】図９は、本考案における安全式ろくろを有する長傘の保護カバーを示す立体構造図である。
【考案を実施するための形態】
【００１７】
図１乃至図９を用いて、本考案の安全式ろくろを有する長傘の実施例について更に説明する。
【００１８】
安全式ろくろを有する長傘は、ろくろ１とろくろ１を摺動させる傘骨２を含み、前記ろくろ１には係止溝３が設けられ、前記傘骨２には係止溝３を貫通する下はじき５が連結されている。前記ろくろ１の係止溝３に対応する位置には保護カバー４が連結されている。
【００１９】
前記技術手段により、傘を閉じた後、図５乃至図７に示すように、保護カバー４は雨水と塵埃等が係止溝３から傘骨２内に進入することを防止する。これにより、傘骨２が錆びて腐食することを防止し、かつ塵埃により下はじき５が嵌合されて傘を開けない状況が生じない。傘を開くとき、図１乃至図４に示すように、保護カバー４は手が下はじき５にタッチして手を傷つけることを防止する。
本実施例において、好ましくは、前記下はじき５の側面にはロック孔６が開設され、前記保護カバー４内にはロック孔６を貫通するロック部材７が設けられている。前記保護カバー４とろくろ１の間にはロック部材７をロック孔６から排出させる開閉機構が設けられている。
【００２０】
前記技術手段により、傘を閉じるとき、ロック部材７はロック孔６内に挿入されて、下はじき５をロックする。このとき、下はじき５はろくろ１に対して係止状態を保持し、誤ってタッチされても脱落しない。そのため、誤って下はじき５をタッチしても傘が開かれて人を傷つけることは生じない。傘を開くとき、使用者は開閉機構を操作して、ロック部材７をロック孔６から退出させる。このとき、更に下はじき５を押圧して、係止溝３から離脱させると、ろくろ１が滑り出されることにより、傘を開くことができる。構造が簡単で、使用しやすくなる。
【００２１】
本実施例において、好ましくは、前記開閉機構は、ろくろ１に設けられている環状溝８、保護カバー４に設けられている第１スライダ９を含む。前記環状溝８はろくろ１の円周方向に沿って設けられ、前記第１スライダ９は環状溝８に摺動可能に連結される。
【００２２】
前記技術手段を採用すると、傘を開くとき、使用者は保護カバー４を回転させると、保護カバー４に連結される第１スライダ９が環状溝８内で摺動する。保護カバー４のロック部材７がロック孔６から離脱されると、下はじき５は押圧されることが可能となり、使用者が更に下はじき５を押圧すると、傘を開くことができる。環状溝が環状に設置されることにより、耐力状況を改善し、保護カバー４等の部材の耐用年数を延長することができる。
【００２３】
本実施例において、好ましくは、前記環状溝８と第１スライダ９の間にはバネが設けられている。
【００２４】
前記技術手段を採用すると、傘を開くとき、使用者は先ず保護カバー４を回転させて、バネの弾力を克服する必要がある。これにより、誤ってタッチされることを防止し、かつ傘を開いた後、保護カバー４はバネの弾力作用により、回転して復帰する。構造が簡単で、使用しやすくなる。
【００２５】
または、前記ろくろ１と保護カバー４の間にはねじりバネが設けられている。
【００２６】
前記技術手段を採用すると、傘を開くとき、使用者は先ず保護カバー４を回転させて、ねじりバネの弾力を克服する必要がある。これにより、誤ってタッチされることを防止し、かつ傘を開いた後、保護カバー４はねじりバネの弾力作用により、回転して復帰する。構造が簡単で、使用しやすくなる。
【００２７】
または、前記ろくろ１の保護カバー４に対応する位置にはベース部が設けられ、前記開閉機構は、ベース部に設けられているスライド溝、保護カバー４に設けられている第２スライダを含み、前記スライド溝の長手方向はろくろ１の軸線方向と垂直になり、前記第２スライダとスライド溝は摺動可能に連結される。
【００２８】
前記技術手段を採用すると、傘を開くとき、使用者が保護カバー４を摺動させると、保護カバー４に連結される第２スライダはスライド溝内で摺動する。保護カバー４のロック部材７がロック孔６から離脱されて、下はじき５は押圧されることが可能となり、使用者が更に下はじき５を押圧すると、傘を開くことができる。ベース部の設置加工が便利で、コストが低い。
【００２９】
本実施例において、好ましくは、前記スライド溝と第２スライダの間には引張りバネまたは圧縮バネが設けられている。
【００３０】
前記技術手段を採用すると、傘を開くとき、使用者は先ず保護カバー４を摺動させて、引張りバネまたは圧縮バネの弾力を克服する必要がある。これにより、誤ってタッチされることを防止し、かつ傘を開いた後、保護カバー４は引張りバネまたは圧縮バネの弾力作用により、摺動して復帰する。構造が簡単で、使用しやすくなる。
【００３１】
本実施例において、好ましくは、前記保護カバー４には滑り防止パターンが設けられている。
【００３２】
前記技術手段を採用すると、保護カバー４または人手に水が附着した場合、滑り防止パターンを設置することにより、手と保護カバー４の間の作用力面積を増加して、保護カバー４を回転または摺動させるときの手の滑りを防止することができる。
【００３３】
本実施例において、好ましくは、前記保護カバー４は透明材質からなり、前記ろくろ１には第１指示線１０が設けられ、前記保護カバー４には第１指示線１０と共にロック部材７の位置を指示する第２指示線１１が設けられている。
【００３４】
保護カバー４は、ガラスまたは有機ガラス等の透明材質からなってもよい。
【００３５】
前記技術手段を採用すると、使用者は透明材質の保護カバー４によりロック部材７とロック孔６の相対位置を便利に確認することができ、かつ第１指示線１０と第２指示線１１により更に容易に位置を確認することができる。第１指示線１０は２つ設置されてもよく、その１つはロック部材７によりロック孔６をロッキングする位置であり、他の１つはロック部材７がロック孔６から離脱する位置である。第２指示線１１がそれぞれ２つの第１指示線１０に一致する場合、２つの状態を示すことになり、簡単で明確である。
【００３６】
上述したように、傘を閉じた後、保護カバー４は雨水と塵埃等が係止溝３から傘骨２内に進入することを防止する。これにより、傘骨２が錆びて腐食することを防止し、かつ塵埃により下はじき５が嵌合されて傘を開けない状況が生じない。傘を開くとき、保護カバー４は手が下はじき５にタッチして手を傷つけることを防止する。
【００３７】
傘を閉じるとき、ロック部材７はロック孔６内に挿入されて、下はじき５をロックする。このとき、下はじき５はろくろ１に対して係止状態を保持し、誤ってタッチしても脱落しないため、開かれて人を傷つけることが生じない。傘を開くとき、使用者は開閉機構を操作して、ロック部材７をロック孔６から退出させる。このとき、更に下はじき５を押圧して、係止溝３から離脱させると、ろくろ１が滑り出されることにより、傘を開くことができる。構造が簡単で、使用しやすくなる。
【００３８】
上述は本考案の好ましい実施形態のみであり、本考案の保護範囲は上述の実施例に制限されず、本考案の思想の技術方案は本考案の保護範囲内に属する。ここで指摘することは、当業者にとって、本考案の原理から離れない前提で、若干の改善と修飾を行うことができるが、これらの改善と修飾も本考案の保護範囲内に属する。
【符号の説明】
【００３９】
１、ろくろ
２、傘骨
３、係止溝
４、保護カバー
５、下はじき
６、ロック孔
７、ロック部材
８、環状溝
９、第１スライダ
１０、第１指示線
１１、第２指示線
【図１】
0003213476.tif 000003
【図２】
0003213476.tif 000004
【図３】
0003213476.tif 000005
【図４】
0003213476.tif 000006
【図５】
0003213476.tif 000007
【図６】
0003213476.tif 000008
【図７】
0003213476.tif 000009
【図８】
0003213476.tif 000010
【図９】
0003213476.tif 000011